(57)【特許請求の範囲】
【請求項１】
移動通信端末と、移動通信端末が接続するアクセスポイントと、アクセスポイントが収容された１つ以上のネットワークを構成するネットワーク装置と、移動通信端末にサービスを提供するアプリケーションサーバと、ネットワークに配置されアプリケーションサーバに対して移動通信端末のアンカーポイントを提供する複数のアンカー装置と、移動通信端末の位置情報を管理する端末位置管理システムとを備えた通信サービスにおける経路制御方法であって、
移動通信端末の通信経路情報及びネットワークの構成情報を記憶した経路情報記憶手段を備え、
端末通信経路制御手段が、端末位置管理システムから取得した移動通信端末情報及び経路情報記憶手段に記憶されている通信経路情報及びネットワーク構成情報に基づき、移動通信端末の移動に伴う当該移動体通信端末のアンカーポイントの変更の有無を判定し、アンカーアポイントの変更がある場合には移動通信端末が接続するアプリケーションサーバを選択し、移動通信端末とアプリケーションサーバとの間に通信経路が形成されるようネットワーク装置に対して経路制御する
ことを特徴とする移動通信端末の経路制御方法。
【請求項２】
端末通信経路制御手段は、移動通信端末がネットワークに接続した際にも前記アプリケーションサーバの選択及び経路制御を行う
ことを特徴とする請求項１記載の移動通信端末の経路制御方法。
【請求項３】
端末通信経路制御手段は、アンカーアポイントの変更がない場合には移動前のアプリケーションサーバを移動後でも用いるものとし、前記経路制御を行う
ことを特徴とする請求項１又は２記載の移動通信端末の経路制御方法。
【請求項４】
前記ネットワークは、前記ネットワーク装置を介して前記アクセスポイントを収容する複数の地域ネットワークと、前記ネットワーク装置を介して前記複数の地域ネットワークと接続するコアネットワークとを備え、
前記アンカー装置及び前記アプリケーションサーバの組は前記地域ネットワークに接続されている
ことを特徴とする請求項１乃至３何れか１項記載の移動通信端末の経路制御方法。
【請求項５】
移動通信端末と、移動通信端末が接続するアクセスポイントと、アクセスポイントが収容された１つ以上のネットワークを構成するネットワーク装置と、ネットワークに配置されアプリケーションサーバに対して移動通信端末のアンカーポイントを提供する複数のアンカー装置と、移動通信端末にサービスを提供するアプリケーションサーバと、移動通信端末の位置情報を管理する端末位置管理システムとを備えた通信サービスにおける経路制御システムであって、
移動通信端末の通信経路情報及びネットワークの構成情報を記憶した経路情報記憶手段と、
端末位置管理システムから取得した移動通信端末情報及び経路情報記憶手段に記憶されている通信経路情報及びネットワーク構成情報に基づき、移動通信端末の移動に伴う当該移動体通信端末のアンカーポイントの変更の有無を判定し、アンカーアポイントの変更がある場合には移動通信端末が接続するアプリケーションサーバを選択し、移動通信端末とアプリケーションサーバとの間に通信経路が形成されるようネットワーク装置に対して経路制御する端末通信経路制御手段とを備えた
ことを特徴とする移動通信端末の経路制御システム。
【発明の詳細な説明】
【技術分野】
【０００１】
本発明は、複数の移動通信端末と複数のアプリケーションサーバとを接続するネットワークシステムにおいて、移動通信端末からアプリケーションサーバへの転送経路を設定する方法及びシステムに関し、特に、アプリケーションサーバの要求品質に応じて移動前後、移動中の品質変化を抑制する経路設定方法とそのシステムに関する。
【背景技術】
【０００２】
移動通信端末からインターネットやアプリケーションサーバに対して移動による基地局切り替えによるハンドオーバ時の通信を切断なく切り替える転送経路制御技術は従来から知られている。このような技術としては、例えば、３ＧＰＰ（３ｒｄ  Ｇｅｎｅｒａｔｉｏｎ  Ｐａｒｔｎｅｒｓｈｉｐ  Ｐｒｏｊｅｃｔ）  ２３．４０１で規定されるＥｖｏｌｖｅｄ  Ｐａｃｋｅｔ  Ｃｏｒｅ（ＥＰＣ）等が挙げられる。
【０００３】
従来技術における移動通信端末とアプリケーションサーバ間の端末移動に伴う経路設定システムの概要を図９に示す。
【０００４】
従来技術では、端末１のＩＰ（Ｉｎｔｅｒｎｅｔ  Ｐｒｏｔｏｃｏｌ）アドレス変化を防止するために、端末１ごとに変化しない固定のアドレスを割り当て、端末自体のアドレス変化と対応づけて管理し、移動に伴う通信の断絶を防止するアンカーポイント４０を経由した通信を行う。端末１からパケットをアプリケーションサーバ２０へ送信する場合、アンカーポイント４０にパケットが転送され、アンカーポイント４０で送信元移動端末を識別して、アプリケーションサーバ２０に送信するパケットに当該移動端末１のＩＰアドレスを設定してアプリケーションサーバ２０に転送する。
【０００５】
逆に、アプリケーションサーバ２０から送信されたパケットを受信した場合、宛先ＩＰアドレスに該当する移動端末１の宛にパケットを転送する。
【０００６】
ＥＰＣでは、アンカーポイント４０はＰａｃｋｅｔ  Ｄａｔａ  Ｎｅｔｗｏｒｋ  Ｇａｔｅｗａｙ（Ｐ−ＧＷ）となっており、Ｐ−ＧＷで端末のＩＰアドレス宛のパケットを受信時には該当するＧＴＰ（ＧＰＲＳ  Ｔｕｎｎｅｌｉｎｇ  Ｐｒｏｔｏｃｏｌ）トンネルを介して転送し、アプリケーションサーバ宛のパケットを受信したらそのＧＴＰトンネルからパケットを抽出して送信することで、移動通信端末が移動してもＩＰアドレスの変化なく通信を実現することが可能となっている。
【０００７】
ＥＰＣでは、移動通信端末には、アンカーポイントから払い出されたＩＰアドレスを使って在圏中のｅＮｏｄｅＢと接続するための無線通信モジュールが搭載され、無線通信でｅＮｏｄｅＢと通信する。ｅＮｏｄｅＢは端末固有の識別子（ＭＡＣ（Ｍｅｄｉａ  Ａｃｃｅｓｓ  Ｃｏｎｔｒｏｌ）アドレス、ＩＰアドレス）に基づいて、端末を識別し端末との無線通信プロトコルを終端する。
【０００８】
ｅＮｏｄｅＢでは、端末の認証や移動管理のための制御メッセージについて、Ｍｏｂｉｌｉｔｙ  Ｍａｎａｇｅｍｅｎｔ  Ｅｎｔｉｔｙ（ＭＭＥ）とメッセージ交換を行い、端末位置管理やハンドオーバ時のＧＴＰトンネルの制御を行う。また、ｅＮｏｄｅＢでは、複数のｅＮｏｄｅＢを集約するＧａｔｅｗａｙであるＳｅｒｖｉｎｇ  Ｇａｔｅｗａｙ（Ｓ−ＧＷ）との間でＧＴＰによるユーザデータのトンネル通信を行うため、ＧＴＰトンネルの生成・終端を行う。同一Ｓ−ＧＷに接続するｅＮｏｄｅＢ間での移動通信端末の移動によるハンドオーバが発生すると、移動元ｅＮｏｄｅＢと移動先ｅＮｏｄｅＢの間でＧＴＰ終端点の切り替えが行われ、ＧＴＰトンネルが切り替えられ、結果として移動元ｅＮｏｄｅＢから移動先ｅＮｏｄｅＢからアンカーポイントまでの通信経路が切り替えられる。
【０００９】
移動先、移動元のｅＮｏｄｅＢが接続するＳ−ＧＷが異なる場合、移動先、移動元のｅＮｏｄｅＢとＭＭＥとの間でハンドオーバのための制御信号処理が行われ、ＭＭＥが移動元のＳ−ＧＷに対して移動元ｅＮｏｄｅＢと、Ｐ−ＧＷとのＧＴＰトンネルの解放処理を行い、移動先のＳ−ＧＷに対して移動先のｅＮｏｄｅＢとの間、および移動先Ｓ−ＧＷとＰ−ＧＷの間のＧＴＰトンネルの生成処理を行う。これによって、移動元ｅＮｏｄｅＢから移動元Ｓ−ＧＷを介するＰ−ＧＷとの通信経路を移動先ｅＮｏｄｅＢと移動先Ｓ−ＧＷを介したＰ−ＧＷとの通信経路に切り替えられる。
【００１０】
各Ｐ−ＧＷ装置に割り当てる地域範囲は事業者に委ねられているが、障害時の影響範囲の限定、通信品質等の観点から、いくつかの地域に分割してＰ−ＧＷを収容することが一般的である。このため、Ｐ−ＧＷの変更を伴う地域間の移動通信端末の移動の発生時には、アンカーポイントを移行する必要がある。この場合、端末が使用するＩＰアドレスを変更する必要があるため、一度通信経路が切断され再度経路が確立される。
【００１１】
Ｐ−ＧＷ間の移動時に通信を切断しない技術として、移動前後のＰ−ＧＷやアプリケーション等の装置間でコンテキスト情報をあらかじめ転送し、装置内の端末の接続状態に関する技術を引き継ぐことで切断を防止する技術が提案されている（特許文献１参照）。
【００１２】
また、従来の移動体通信技術ではコアネットワークにトラヒックが集中するため、無線アクセスポイントの近傍でトラヒックをインターネットなどほかのネットワークに逃がす技術が存在する（非特許文献参照）。
【００１３】
ＳＩＰＴＯ（Ｓｅｌｅｃｔｅｄ  ＩＰ  Ｔｒａｆｆｉｃ  Ｏｆｆｌｏａｄ）では、ローカルでトラヒックを処理する場合、端末のＩＰアドレスはローカルのアンカーポイント（Ｌｏｃａｌ  Ｇａｔｅｗａｙ）で処理され、コアネットワーク内のＰ−ＧＷは経由しない。これにより、コアネットワークのトラヒックを低減することが可能となる。
【００１４】
しかし、ローカルでインターネットなどモバイルネットワーク上のサービスを利用しないトラヒックを逃がすと、どちらかのアンカーポイントに限定されてしまうためモバイルネットワーク上のサービスを同時に利用することができない。このため、端末がローカルネットワークとコアネットワークの２つのアンカーポイントと接続する技術が提案されている（特許文献２参照）。
【先行技術文献】
【特許文献】
【００１５】
【特許文献１】特開２０１２−１０３８７９号公報
【特許文献２】特開２０１３−５１９２７９号公報
【非特許文献】
【００１６】
【非特許文献１】”Local IP Access and Selected IP Traffic Offload (LIPA-SIPTO)”, 3GPP TR 23.829, V10.0.1, 2011年10月
【発明の概要】
【発明が解決しようとする課題】
【００１７】
上記の従来技術では、単一のアンカーポイントでカバーする地域を広く設定する必要があり、多数の無線基地局を収容可能なネットワークの上位階梯にアンカーポイントを配備する必要がある。これにより、無線基地局からアンカーポイントまでの通信経路の距離が長くなり、端末からアプリケーションサーバへのパケット転送にかかる遅延が大きくなるため、低遅延性が要求されるサービスを実現することができない。また、特定地域に特化してアプリケーションを提供する場合にも、必ず通信距離の遠いアンカーポイントを経由する必要があり、通信経路が最適化されずトラヒックが上流まで流れることでコスト増加の要因となる問題がある。
【００１８】
そこで、図１０に示すように、移動通信端末１の比較的近傍にアンカー装置４０を配備して、移動通信端末１に近い場所でトラヒックをアプリケーションサーバ２０に転送する技術が考えられるが、移動通信端末１が移動した場合には、再度アンカー装置４０への接続処理から行うため移動通信端末１の通信が一度切断されてしまう。
【００１９】
本発明は上記事情に鑑みてなされたものであり、その目的とするところは、移動通信端末とアプリケーションサーバ間の通信経路を、遅延やアプリケーションサーバの提供地域を考慮し、端末が移動しても切断されないよう最適に設定することである。
【課題を解決するための手段】
【００２０】
上記目的を達成するために、本願発明は、移動通信端末と、移動通信端末が接続するアクセスポイントと、アクセスポイントが収容された１つ以上のネットワークを構成するネットワーク装置と、ネットワークに配置されアプリケーションサーバに対して移動通信端末のアンカーポイントを提供する複数のアンカー装置と、移動通信端末にサービスを提供するアプリケーションサーバと、移動通信端末の位置情報を管理する端末位置管理システムとを備えた通信サービスにおける経路制御方法及びシステムであって、移動通信端末の通信経路情報及びネットワークの構成情報を記憶した経路情報記憶手段を備え、端末通信経路制御手段が、端末位置管理システムから取得した移動通信端末情報及び経路情報記憶手段に記憶されている通信経路情報及びネットワーク構成情報に基づき、移動通信端末の移動に伴う当該移動体通信端末のアンカーポイントの変更の有無を判定し、アンカーアポイントの変更がある場合には移動通信端末が接続するアプリケーションサーバを選択し、移動通信端末とアプリケーションサーバとの間に通信経路が形成されるようネットワーク装置に対して経路制御することを特徴とする。
【００２１】
換言すれば、本願発明では、端末通信経路制御手段が移動通信端末の接続位置、移動位置、利用アプリケーションサービスの特性から低遅延性、地域性を考慮して、近傍となるアプリケーションサーバを選択し、アプリケーションサーバと移動通信端末間の経路に対して、アクセスポイント、ネットワーク装置（レイヤ１〜３)に通信経路要件を満足するようにパケット転送経路を決定する。そして、決定したパケット転送経路にしたがって、移動通信端末のこれまでの通信経路上のアクセスポイント、ネットワーク装置に対しては当該端末向け経路情報の削除するように通知し、移動後の通信経路上のアクセスポイント、ネットワーク装置に対しては、新たな経路を構成するように通知する。この通知に基づいて、各装置が経路設定を行うことで、アプリケーションサーバと移動通信端末の通信経路が最適に構築される。したがって、各移動通信端末とアプリケーションサーバ間の通信特性に合わせて、適切な通信経路を使って接続することが可能となる。
【発明の効果】
【００２２】
以上のように本発明によれば、移動通信端末の在圏するアクセスポイントとそのアプリケーションサービスの通信要件に基づいて、移動通信端末とアプリケーションサーバの関係から最適となるようにアクセスポイント、ネットワーク装置等の経由するネットワーク機器構成を制御して通信経路が設定される。したがって、アクセスポイントに近い位置でアプリケーションサービスのトラヒックを処理することができるため、シームレスで低遅延な移動通信サービスの実現、およびコアネットワークトラヒックの削減が可能となる。
【図面の簡単な説明】
【００２３】
【図１】端末経路制御システムの概要図
【図２】端末経路制御システムのおける動作を説明する概要図
【図３】端末通信経路制御サーバと経路情報ＤＢの構成図
【図４】端末通信経路決定部の経路決定ロジック
【図５】実施例１の動作を説明する図
【図６】実施例２の動作を説明する図
【図７】実施例３の動作を説明する図
【図８】実施例４の動作を説明する図
【図９】従来の通信経路制御システムの概要図
【図１０】従来の他の通信経路制御システムにおける問題点を説明する図
【発明を実施するための形態】
【００２４】
本発明の一実施の形態に係るシステムについて図面を参照して説明する。図１は、本発明のシステム構成概要を示す。
【００２５】
本発明は、無線アクセスポイント１０と、アプリケーションサーバ２０と、ネットワークを構成する装置であるルータ（Ｌ２），スイッチ（Ｌ３），伝送装置（Ｌ１）等のネットワーク装置３０と、アンカーポイントとなるアンカー装置４０と、端末移動管理サーバ５１と、端末位置情報ＤＢ５２と、経路情報ＤＢ６０と、端末通信経路制御サーバ７０と、移動通信端末（Ｕｓｅｒ  Ｅｑｕｉｐｍｅｎｔ）１とを備える。図１に示すように、本システムでは、コアネットワーク１００と複数の地域ネットワーク２００とがネットワーク装置３０により接続されている。無線アクセスポイント１０は、ネットワーク装置３０を介して何れかの地域ネットワーク２００に収容されている。
【００２６】
無線アクセスポイント１０は、無線ネットワークシステムの無線区間を構成する無線基地局装置であり移動通信端末１を収容する。無線アクセスポイント１０は、ＬＴＥ（Ｌｏｎｇ  Ｔｅｒｍ  Ｅｖｏｌｕｔｉｏｎ）ではｅＮｏｄｂＢが相当する。
【００２７】
ネットワーク上でのルータ、スイッチ、伝送装置等のネットワーク装置３０はセットで配置されてもよいし、それぞれ分けて別々に配置してもよい。また、アンカー装置４０とアプリケーションサーバ２０はネットワーク上に複数分散配備されており、ネットワーク上のネットワーク装置３０類に接続している。
【００２８】
従来技術とは、以下の点でシステムおよび手順が異なる。すなわち、アンカー装置４０及びアプリケーションサーバ２０は、図９で示した従来技術ではコアネットワーク１００の上位に１つだけ配備されていたが、本発明では、地域ネットワーク２００の近傍、換言すれば無線アクセスポイント１０の近傍に配備されている。また、本発明では、端末通信経路制御サーバ７０が、各移動通信端末１とその近傍に存在するアンカー装置４０およびアプリケーションサーバ２０までの通信経路を制御する。また、本発明では、経路情報ＤＢ６０が、ネットワーク装置３０やアンカー装置４０、無線アクセスポイント１０の接続関係、物理構成情報を管理し、各移動通信端末１の在圏位置とアプリケーションサーバ２０との接続関係、各端末１に現在設定済みの経路情報、アプリケーションサーバ２０との通信条件を保持する。なお、端末通信経路制御サーバ７０及び経路情報ＤＢ６０のネットワーク上の位置は不問である。
【００２９】
端末移動管理サーバ５１と端末位置情報ＤＢ５２は、互いに連携してネットワークにおける移動通信端末１の位置を管理する端末位置管理システムを構成する。例えばＥＰＣの場合、端末移動管理サーバ５１はＭＳＳに相当し、端末位置情報ＤＢ５２はＨＳＳ（Ｈｏｍｅ  Ｓｕｂｓｃｒｉｂｅｒ  Ｓｅｒｖｅｒ）に相当する。
【００３０】
次に、図２を参照して、本発明の実施形態による移動通信端末の通信経路制御方法の概要を説明する。
【００３１】
無線アクセスポイント１０は、移動通信端末１の接続や移動を検出すると、端末移動管理サーバ５１に対して端末移動通知を送信する。端末移動管理サーバ５１は、移動通信端末１とアプリケーションサーバ２０との間を最小の遅延で接続するため、端末通信経路制御サーバ７０に対して端末の移動・ネットワーク接続時に該移動通信端末１の情報（移動通信端末情報）としての端末位置情報を送信する。該端末位置情報は、無線アクセスポイント情報などネットワーク上の接続位置を含む。
【００３２】
これを受信した端末通信経路制御サーバ７０は、経路情報ＤＢ６０から当該端末の経路情報を抽出し、接続経路を判定する。そして端末通信経路制御サーバ７０は、端末移動管理サーバ５１から通知された端末位置情報に含まれるネットワーク上の接続位置と近傍のアプリケーションサーバ２０の配置から最短となるアプリケーションサーバ２０と移動通信端末１の接続経路を決定する。つぎに、端末通信経路制御サーバ７０は、経路上の無線アクセスポイント１０、ネットワーク装置３０、アンカー装置４０に対して経路制御コマンドを送信して、経路制御を行う。これにより、最短経路でのパケット転送となり、低遅延アプリケーションサービスの提供が可能となる。
【００３３】
図３は移動通信端末の位置に応じた最適経路を構成するための端末通信経路制御サーバ７０と経路情報ＤＢ６０の構成を示す。
【００３４】
経路情報ＤＢ６０には、端末経路情報ＤＢ部６１と、ＮＷ構成情報ＤＢ部６２と、経路情報ＤＢ入出力ＩＦ部６９から構成される。端末経路情報ＤＢ部６１では、現在各端末が接続先のサーバ２０とそのサーバ２０への接続経路を示す情報が記録されており、アンカー装置４０、ネットワーク装置３０（Ｌ３／Ｌ２／Ｌ１）、無線アクセスポイント１０の情報を保持している。ＮＷ構成情報ＤＢ部６２では、無線アクセスポイント１０やネットワーク装置３０（Ｌ３／Ｌ２／Ｌ１）、アンカー装置４０、アプリケーションサーバ２０等の接続関係と、各接続関係の接続技術（Ｌ３：ＩＰ、Ｌ２：ＭＰＬＳ／Ｅｔｈｅｒ、Ｌ１：ファイバ／波長等）を記録している。経路情報ＤＢ入出力ＩＦ部６９は各ＤＢへの問い合わせや書き込み要求を受信して、その要求内容に応じてＤＢから必要な情報を取り出し、返送する。
【００３５】
端末通信経路制御サーバ７０には、経路情報ＤＢ参照・書き込みＩＦ部７９と、端末情報受信部７１と、端末通信経路決定部７２と、端末通信経路設定部７３とから構成される。
【００３６】
端末移動情報受信部７１は、端末移動管理サーバ５１から、端末の移動情報（移動前後の無線アクセスポイント等）を含む移動通信端末情報としての端末位置情報を受信し、端末通信経路決定部７２に端末移動に伴う新たな経路設定の要求を行う。
【００３７】
端末通信経路決定部７２では、端末移動情報受信部７１からの要求を受けて新たな通信経路設定を行うため、経路情報ＤＢ参照・書き込みＩＦ部７９に対して現在の端末通信経路、移動後の無線アクセスポイント１０とアプリケーションサーバ２０の経路設定に必要なＮＷ構成情報を問い合わせ、当該の情報を受信する。
【００３８】
図４に端末通信経路決定部の経路決定ロジックを示す。端末通信経路決定部７２は、移動前無線アクセスポイント情報と移動後無線アクセスポイント情報を受信し、当該基地局（無線アクセスポイント）が同一アンカー装置４０配下の基地局か否かを判定することにより（ステップＳ１）、アプリケーションサーバ２０を切り替えるべきか否かを判定する。
【００３９】
移動前後の無線アクセスポイント１０を収容するアンカー装置４０が異なる場合、アプリケーションサーバ２０の切り替えるべきと判定し、移動後の無線アクセスポイント１０から端末プロファイル情報を参照して最適なアプリケーションサーバ２０を選択・決定する（ステップＳ２）。ここでアプリケーションサーバ選択ロジックとして利用されるプロファイルには、当該端末が低遅延アプリケーションや、ローカルな通信、コアネットワークにトラヒックを流さないポリシなど従来のアンカー装置よりネットワークの無線アクセスポイントに近い位置でトラヒックを処理する必要があるアプリケーションを利用する端末であることが含まれる。なお本実施の形態では、端末プロファイル情報は、端末位置情報と同様に端末位置管理システムから取得し、より具体的には端末位置情報ＤＢ５２から直接直取得してもいし、端末位置情報ＤＢ５２から端末移動管理サーバ５１を介して端末位置情報とともに取得してもよい。
【００４０】
アプリケーションサーバの選択が完了した場合、または移動前後の無線アクセスポイント１０が同一のアンカー装置４０に収容されている場合、移動通信端末１とアプリケーションサーバ２０間の新しい通信経路を決定する（ステップＳ３）。ここで通信経路の決定処理では、移動後の移動通信端末１とアプリケーションサーバ２０間の位置等の接続関係を考慮して、低遅延性などを満足するよう端末プロファイル情報とＮＷ構成情報を参照して最適な端末通信経路（経由するネットワーク装置、および接続技術）を設定する。ここで通信経路選択ロジックとして利用されるプロファイルには、当該端末が低遅延アプリケーションや、ローカルな通信、コアネットワークにトラヒックを流さないポリシなど従来のアンカー装置よりネットワークの無線アクセスポイントに近い位置でトラヒックを処理する必要があるアプリケーションを利用する端末であることが含まれる。
【００４１】
端末通信経路設定部７３は、端末通信経路決定部７２で決定した通信経路（アプリケーションサーバ２０、アンカー装置４０、ネットワーク装置３０）に従って、実際に各サーバ２０、装置３０，４０に対して通信経路を設定するように制御コマンドを送信する（ステップＳ４）。
【００４２】
以上のように本発明によれば、移動通信端末１の在圏するアクセスポイント１０とそのアプリケーションサービスの通信要件に基づいて、移動通信端末１とアプリケーションサーバ２０の関係から最適となるようにアクセスポイント１０、ネットワーク装置３０、アンカー装置４０等の経由するネットワーク機器構成を制御して通信経路が設定される。したがって、アクセスポイント１０に近い位置でアプリケーションサービスのトラヒックを処理することができるため、シームレスで低遅延な移動通信サービスの実現、およびコアネットワークトラヒックの削減が可能となる。
【００４３】
なお、本発明では、経路制御の手法としてはネットワークの構成，着目するレイヤや機器に応じて種々の態様が考えられる。以下に、本発明の実施例について詳述する。
【実施例１】
【００４４】
図５に端末通信経路の設定と切り替え処理の実施例１を示す。実施例１では、移動通信端末１が無線アクセスポイント１０間を移動した際に、アンカー装置４０となっているＥＰＣのトンネル終端点を制御するよう処理を行う。このため、端末通信経路制御サーバ７０は、移動通信端末１の基地局間移動によりアンカー装置４０の切り替えが必要と判断すると、アンカー装置４０であるＳ／Ｐ−ＧＷ３１やＬ−ＧＷ等と無線アクセスポイント１０に対してＧＴＰトンネルＩＤとそのトンネル上を流れるアプリケーションサーバへのフロー識別子を指定して、当該フロー／ＧＴＰトンネルを地理的に近いアンカー装置４０へと接続し、アプリケーションサーバ２０との通信を実現する。
【実施例２】
【００４５】
図６に端末通信経路の設定と切り替え処理の実施例２を示す。実施例２では、移動通信端末１が無線アクセスポイント１０間を移動した際に、複数基地局を集約してコアネットワーク１００上のアンカーポイント４１とローカルネットワーク２００のアンカーポイント４２に振り分けるＧＴＰスイッチ３２に対して、移動による経路変更に伴う振り分け処理の制御を行う。コアネットワーク上のアンカーポイント４１は、図６の例では、Ｓ／Ｐ−ＧＷ３２である。一方、ローカルネットワーク２００上のアンカーポイント４２は、Ｓ／ＰＧＷ３４やＬ−ＧＷがある。
【００４６】
基地局間の移動が発生すると、端末通信経路制御サーバ７０からＧＴＰスイッチ３３に対してＧＴＰトンネルＩＤやフロー識別子での経路制御を行い、端末移動時にも地域ネットワーク２００上のアンカーポイント４２又はアプリケーションサーバ２０へ接続するフローまたはＧＴＰトンネルの経路制御を行う。
【実施例３】
【００４７】
図７に端末通信経路の設定と切り替え処理の実施例３を示す。実施例３では、移動通信端末１が無線アクセスポイント１０間を移動した際に、当該移動に応じて各ネットワーク上のルータ３５のルーティング設定を制御し、地域ネットワーク２００上で処理すべき端末１のフローについては地域ネットワーク２００に接続したＧＷルータ３６に転送するように経路設定を行う。なお、ＧＷルータ３６は、アンカー装置として機能していても機能していなくてもよく、特に前者の場合は、ルータ３５のルーティング設定の制御だけでなくアンカー装置としてのＧＷルータ３６の設定も制御する。
【００４８】
フローの識別には、端末１とアプリケーションサーバ２０のＩＰアドレスなどを用いる。また、経路制御には、ＯｐｅｎｆｌｏｗなどのＳＤＮ技術を適用しプロトコルにより複数のルータ３５に対して端末１とアプリケーションサーバ２０のアドレスに基づいて適切にルーティングするよう設定を行う。
【実施例４】
【００４９】
図８に端末通信経路の設定と切り替え処理の実施例４を示す。実施例４では、移動通信端末１が無線アクセスポイント１０間を移動した際に、当該移動に応じて各ネットワーク上のスイッチ３７群のパス構成を制御することで、特定フローのみを地域ネットワーク上２００のＧＷ３８に転送するようにフロー毎にスイッチング経路を指定する。
【００５０】
フローの識別には移動通信端末１のＭＡＣアドレスやＩＰアドレスとアプリケーションサーバ２０のＩＰアドレス、プロトコル情報等を用いる。各スイッチ３７はＯｐｅｎｆｌｏｗ等の制御プロトコルによって制御され、端末通信経路制御サーバ７０の制御コマンドを受けて、特定端末の特定フローのみ経路を地域内で閉じるように経路を構成する。
【００５１】
移動通信端末１の移動時には、フロー識別情報を移動先基地局１０が収容される地域ネットワーク２００のスイッチ等に再度経路制御を行うことで、移動先でも同様に地域ネットワーク２００に接続したアプリケーションサーバ２０でトラヒックを処理する。
【符号の説明】
【００５２】
１…移動通信端末、１０…無線アクセスポイント、２０…アプリケーションサーバ、３０…ネットワーク装置、４０…アンカー装置、５１…端末移動管理サーバ、５２…端末位置情報ＤＢ，６０…経路情報ＤＢ、７０…端末通信経路制御サーバ、１００…コアネットワーク、２００…地域ネットワーク
【図１】
0006278468.tif 000002
【図２】
0006278468.tif 000003
【図３】
0006278468.tif 000004
【図４】
0006278468.tif 000005
【図５】
0006278468.tif 000006
【図６】
0006278468.tif 000007
【図７】
0006278468.tif 000008
【図８】
0006278468.tif 000009
【図９】
0006278468.tif 000010
【図１０】
0006278468.tif 000011